(57)【要約】【課題】一方の媒体と他方の媒体とが貼合粘着力によって貼り合わされた貼合材において、一方の媒体と他方の媒体とを自動で分離する。【解決手段】分離部１５０は、対向配置された一対の上側第一ロール１５２Ａ、下側第一ロール１５２Ｂ、第三ロール１６０及び第二ロール１７０を有している。上側第一ロール１５２Ａ及び下側第一ロール１５２Ｂは、フィルム材５００が間に挟まれた状態で互いに逆方向に回転するように構成されている。上側第一ロール１５２Ａの周面は、フィルム材５００の支持側フィルム５０４の貼合面５０４Ａの貼合粘着力よりも大きい第一粘着力Ａを有し、下側第一ロール１５２Ｂの周面は貼合粘着力よりも大きい第一粘着力Ｂを有している。第三ロール１６０の周面は、第一粘着力Ａよりも大きい第三粘着力を有している。第二ロール１７０の周面は、第一粘着力Ｂよりも大きい第二粘着力を有している。【選択図】図１
2016160035.tif 000002
【特許請求の範囲】
【請求項１】
一方の媒体と他方の媒体とが貼合粘着力によって貼り合わされた貼合材を間に挟んだ状態で互いに逆回りに回転し、前記貼合粘着力よりも大きい第一粘着力を有する一対の第一回転体と、
前記他方の媒体が接する前記第一回転体側に設けられ、前記第一回転体とでニップを形成すると共に前記第一回転体と逆方向に回転し、前記他方の媒体を前記第一回転体から引き剥がす第二粘着力を有する第二回転体と、
を備えた分離装置。
【請求項２】
前記第二回転体には、前記他方の媒体が巻き取られる、
請求項１に記載の分離装置。
【請求項３】
前記第二回転体は、付勢手段によって前記第一回転体に付勢されている、
請求項２に記載の分離装置。
【請求項４】
請求項２又は請求項３に項に記載の分離装置と、
前記貼合粘着力を有する媒体が前記一方の媒体となるように前記貼合材を前記分離装置に搬送する搬送手段と、
前記分離装置の前記第二回転体に巻き取られた前記他方の媒体を送り出して排出する排出手段と、
を備えた分離搬送装置。
【請求項５】
前記搬送手段は、
上流側装置から搬送されてきた前記貼合材を巻き取る巻取ロールと、
前記巻取ロールに巻き取られた前記貼合材を前記分離装置に送り出す送出部と、
を備えた請求項４に記載の分離搬送装置。
【請求項６】
請求項４又は請求項５の分離搬送装置と、
前記貼合材の前記他方の媒体に画像を形成し、前記分離搬送装置に搬送する画像形成装置と、
前記分離搬送装置で分離されて排出された前記他方の媒体に基材に重ね合わせてラミネートするラミネート装置と、
を備えた画像記録体作製装置。
【発明の詳細な説明】
【技術分野】
【０００１】
本発明は、分離装置、分離搬送装置及び画像記録体作製装置に関する。
【背景技術】
【０００２】
特許文献１には、電子写真方式によって画像が形成されたシート状のフィルム材を、基材と重ねてラミネート（加熱加圧）し、画像記録体を作製する技術が開示されている。
【先行技術文献】
【特許文献】
【０００３】
【特許文献１】特開２００８−１８３７２９号公報
【発明の概要】
【発明が解決しようとする課題】
【０００４】
一方の媒体と他方の媒体とが貼合粘着力によって貼り合わされた貼合材は、一方の媒体と他方の媒体とを分離する必要がある。
【０００５】
本発明は、一方の媒体と他方の媒体とが貼合粘着力によって貼り合わされた貼合材を当該貼合粘着力よりも大きい粘着力を有する一対の回転体によって一方の媒体と他方の媒体とに自動で分離する場合において、他方の媒体を一対の回転体とは異なる他の回転体に移すことが目的である。
【課題を解決するための手段】
【０００６】
請求項１の発明は、一方の媒体と他方の媒体とが貼合粘着力によって貼り合わされた貼合材を間に挟んだ状態で互いに逆回りに回転し、前記貼合粘着力よりも大きい第一粘着力を有する一対の第一回転体と、前記他方の媒体が接する前記第一回転体側に設けられ、前記第一回転体とでニップを形成すると共に前記第一回転体と逆方向に回転し、前記他方の媒体を前記第一回転体から引き剥がす第二粘着力を有する第二回転体と、を備えた分離装置である。
【０００７】
請求項２の発明は、前記第二ロールには、前記他方の媒体が巻き取られる、請求項１に記載の分離装置である。
【０００８】
請求項３の発明は、前記第二回転体は、付勢手段によって前記第一回転体に付勢されている、請求項２に記載の分離装置である。
【０００９】
請求項４の発明は、請求項２又は請求項３に記載の分離装置と、前記貼合粘着力を有する媒体が前記一方の媒体となるように前記貼合材を前記分離装置に搬送する搬送手段と、前記分離装置の前記第三ロールに巻き取られた前記他方の媒体を送り出して排出する排出手段と、を備えた分離搬送装置である。
【００１０】
請求項５の発明は、前記搬送手段は、上流側装置から搬送されてきた前記貼合材を巻き取る巻取ロールと、前記巻取ロールに巻き取られた前記貼合材を前記分離装置に送り出す送出部と、を備えた請求項４に記載の分離搬送装置である。
【００１１】
請求項６の発明は、請求項４又は請求項５の分離搬送装置と、前記貼合材の前記他方の媒体に画像を形成し、前記分離搬送装置に搬送する画像形成装置と、前記分離搬送装置で分離されて排出された前記他方の媒体に基材に重ね合わせてラミネートするラミネート装置と、を備えた画像記録体作製装置である。
【発明の効果】
【００１２】
請求項１に記載の発明によれば、一方の媒体と他方の媒体とが貼合粘着力によって貼り合わされた貼合材を当該貼合粘着力よりも大きい粘着力を有する一対の回転体によって一方の媒体と他方の媒体とに自動で分離する場合において、他方の媒体を一対の回転体とは異なる他の回転体に移すことができる。
【００１３】
請求項２に記載の発明によれば、自動で一方の媒体と他方の媒体とを分離し、他方の媒体を一対の回転体とは異なる他の回転体に巻き取ることができる。
【００１４】
請求項３に記載の発明によれば、巻き取り量が増えるに従って生じる第一回転体と第二回転体の回転力の低下を抑制できる
【００１５】
請求項４に記載の発明によれば、搬送される貼合材を一方の媒体と他方の媒体とに分離し、分離した他方の媒体を巻き取り、巻き取った他方の媒体を送り出して排出することを、自動で行うことができる。
【００１６】
請求項５に記載の発明によれば、上流側装置から搬送される貼合材の搬送速度を調整して分離部に送ることができる。
【００１７】
請求項６に記載の発明によれば、貼合材の他方の媒体に画像を形成したのち、一方の媒体と他方の媒体とを分離し、分離された他方の媒体を基材と重ね合わせてラミネートすることを、自動で行うことができる。
【図面の簡単な説明】
【００１８】
【図１】画像形成装置でフィルム材に画像を形成している状態の画像記録体製造装置の概略構成図である。
【図２】画像形成装置で画像が形成されたフィルム材が分離搬送装置の巻取ロールに巻き取られた状態の画像記録体製造装置の概略構成図である。
【図３】巻取ロールに巻き取られたフィルム材の分離部への送出を開始した状態の画像記録体製造装置の概略構成図である。
【図４】フィルム材が分離部で画像形成側フィルムと支持部材フィルムとに分離されている状態の画像記録体製造装置の概略構成図である。
【図５】分離された画像形成側フィルムと支持部材フィルムとが第二ロールと第三ロールとにそれぞれ巻き取られた状態の画像記録体製造装置の概略構成図である。
【図６】第三ロールに巻き取られた画像形成側フィルムをラミネート装置に送り出している状態の画像記録体製造装置の概略構成図である。
【図７】ラミネート装置でラミネート加工を行っている状態の画像記録体製造装置の概略構成図である。
【図８】ラミネート装置でラミネート加工されて作製された画像記録体を巻き取った状態の画像記録体製造装置の概略構成図である。
【図９】（Ａ）はフィルム材の厚み方向の断面を模式的に示す断面図であり、（Ｂ）は画像記録体の厚み方向の断面を模式的に示す断面図である。
【発明を実施するための形態】
【００１９】
[実施形態]
画像記録体作製装置の実施形態の一例について説明する。
【００２０】
（全体構成）
【００２１】
画像記録体作製装置１０の全体構成について説明する。
図１に示す画像記録体作製装置１０は、図示していない制御装置、画像形成装置２０、分離搬送装置１００及びラミネート装置７０を備えている。図示していない制御装置は、画像記録体作製装置１０全体の各種制御を行う。
【００２２】
画像記録体作製装置１０は、画像形成装置２０で図９（Ａ）に示すフィルム材５００の画像形成側フィルム５０２にトナー画像を形成したのち、分離搬送装置１００で画像形成側フィルム５０２と支持側フィルム５０４とを分離し、更に、ラミネート装置７０で図９（Ｂ）に示すように、分離された画像形成側フィルム５０２を基材の一例としての布材６０４に重ね合わせてラミネートし、画像記録体６００を作製する。
【００２３】
なお、本実施形態では、画像形成装置２０におけるフィルム材５００の搬送速度は、ラミネート装置７０における画像記録体６００の搬送速度の約１０倍となっている。
【００２４】
また、ラミネート（ラミネート加工）とは、媒体と基材とを重ね合わせ（本実施形態では、画像形成側フィルム５０２と布材６０４とを重ね合わせ）、加熱若しくは加圧、又は加熱及び加圧すること等で基材に媒体を貼り合せ一体化することを意味する。
【００２５】
（フィルム材）
フィルム材について説明する。
【００２６】
貼合材の一例としてのフィルム材５００は、図９（Ａ）に示すように、薄く透明な他方の媒体の一例としての画像形成側フィルム５０２が、画像形成側フィルム５０２よりも厚く透明な一方の媒体の一例としての支持側フィルム５０４に貼り合わされた二層構造となっている。また、支持側フィルム５０４における貼合面５０４Ａは粘着力を有し、この粘着力によって画像形成側フィルム５０２が貼り合わされている。なお、この粘着力を「貼合粘着力」とする。
【００２７】
（画像形成装置）
画像形成装置２０の全体構成の概要とトナー画像の形成の概要について説明する。
【００２８】
画像形成装置２０は、装置本体２２とフィルム材送出装置３０とを有している。
【００２９】
フィルム材送出装置３０は、フィルム材巻取ロール３２、一対の送出ロール３４及びカッター装置３６を有している。フィルム材巻取ロール３２には長尺状のフィルム材５００（図９（Ａ）も参照）が巻き取られ、送出ロール３４によって装置本体２２にフィルム材５００が送り出される。また、装置本体２２に送り出されるフィルム材５００は、カッター装置３６によって、要求に応じた長さに切断される。
【００３０】
装置本体２２は、送り出されたフィルム材５００の画像形成側フィルム５０２（図９（Ａ）参照）に電子写真方式によってトナー画像を形成する。
【００３１】
本実施形態の装置本体２２は、感光体ドラム４０、帯電装置４２、光走査装置４４、ロータリー現像装置５０、中間転写ベルト６０、ドラムクリーニング装置４６、ベルトクリーニング装置４８、一次転写装置６２、二次転写装置６４、及び定着装置６８等を有している。また、ロータリー現像装置５０は、イエロー（Ｙｅｌｌｏｗ）、マゼンタ（Ｍａｇｅｎｔａ）、シアン（Ｃｙａｎ）及び黒（Ｂｌａｃｋ）の各４色の現像器５２Ｙ、５２Ｍ、５２Ｃ、５２Ｋを有している。
【００３２】
感光体ドラム４０は、帯電装置４２によって表面が帯電され、光走査装置４４から射出されたレーザ光４３で走査露光されることにより、感光体ドラム４０上に静電潜像が形成される。感光体ドラム４０に形成された静電潜像は、ロータリー現像装置５０の現像器５２Ｙ、５２Ｍ、５２Ｃ、５２Ｋによって現像され、感光体ドラム４０に各色のトナー像が形成される。
【００３３】
感光体ドラム４０上に形成されたトナー像は、一次転写装置６２によって、中間転写ベルト６０に一次転写される。なお、中間転写ベルト６０に転写されなった残留トナーは、ドラムクリーニング装置４６によって除去される。
【００３４】
ロータリー現像装置５０は、回転駆動され感光体ドラム４０に対向した現像器５２Ｙ、５２Ｍ、５２Ｃ、５２Ｋのいずれかによって、順次感光体ドラム４０に各色のトナー像が形成され、前述したように中間転写ベルト６０に一次転写される。そして、中間転写ベルト６０に、各色トナーが重ね合わされたフルカラーのトナー像が形成される。
【００３５】
中間転写ベルト６０に重ね合わされたフルカラーのトナー像は、二次転写位置で二次転写装置６４によって、フィルム材５００の画像形成側フィルム５０２（図９（Ａ）参照）に二次転写される。
【００３６】
画像形成側フィルム５０２に転写されたトナー像は、定着装置６８でフィルム材５００の画像形成側フィルム５０２に定着され、分離搬送装置１００に送られる。
【００３７】
（分離搬送装置）
次に、分離搬送装置１００について説明する。
【００３８】
分離搬送装置１００は、搬送部１１０と分離部１５０と排出部１３０とを有している。
搬送部１１０は、巻取ロール１１２と搬送経路切替部１１８と有している。搬送経路切替部１１８は、画像形成装置２０から送られたフィルム材５００を巻取ロール１１２に送る機能と、巻取ロール１１２に巻き取られたフィルム材５００を分離部１５０に送り出す機能と、を有している。
【００３９】
搬送経路切替部１１８は、一対の搬送ロール１２２と案内材１２４とを有している。案内材１２４は、回転軸１２６を中心に回転することで、図２に示す巻取ロール１１２にフィルム材５００を送る送入経路と、図３に示す分離部１５０にフィルム材５００を送る送出経路と、に切替える機能を有している。また、搬送ロール１２２及び巻取ロール１１２は、いずれも両方向に回転駆動するように構成されている。
【００４０】
図１に示すように、分離部１５０は、対向配置された一対の上側第一ロール１５２Ａ及び下側第一ロール１５２Ｂと、第三ロール１６０と、第二ロール１７０と、を有している。
【００４１】
上側第一ロール１５２Ａ及び下側第一ロール１５２Ｂはニップを形成し、フィルム材５００が間（ニップ部）に挟まれた状態で互いに逆方向に回転するように構成されている。上側第一ロール１５２Ａの周面は、前述したフィルム材５００の支持側フィルム５０４の貼合面５０４Ａの貼合粘着力よりも大きい第一粘着力Ａを有し、下側第一ロール１５２Ｂの周面は貼合粘着力よりも大きい第一粘着力Ｂを有している。別の観点から説明すると、上側第一ロール１５２Ａ及び下側第一ロール１５２Ｂは、フィルム材５００を支持側フィルム５０４及び画像形成側フィルム５０２を付着させて分離する第一粘着力Ａ及び第一粘着力Ｂを有している。なお、第一粘着力Ａと第一粘着力Ｂとは、同じ大きさの粘着力であってもよいし、異なる大きさの粘着力であってもよい。
【００４２】
第三ロール１６０は、上側第一ロール１５２Ａの上方に設けられ、上側ばね１６２よって上側第一ロール１５２Ａに付勢され、上側第一ロール１５２Ａとでニップを形成する共に上側第一ロール１５２Ａと逆方向に回転駆動するように構成されている。また、第三ロール１６０の周面は、上側第一ロール１５２Ａに付着している支持側フィルム５０４を上側第一ロール１５２Ａから引き剥がす第三粘着力を有している。
【００４３】
第二ロール１７０は、下側第一ロール１５２Ｂの下方に設けられ、下側ばね１７２によって下側第一ロール１５２Ｂに付勢され、下側第一ロール１５２Ｂとでニップを形成すると共に下側第一ロール１５２Ｂと逆方向に回転駆動するように構成されている。また、第二ロール１７０の周面は、下側第一ロール１５２Ｂに付着している画像形成側フィルム５０２を下側第一ロール１５２Ｂから引き剥がす第二粘着力を有している。
【００４４】
また、第二ロール１７０は、下側ばね１７２によって送出ロール１７４にも付勢され、送出ロール１７４は第二ロール１７０とでニップを形成すると共に第二ロール１７０と逆方向に回転するように構成されている。第二ロール１７０及び送出ロール１７４は、両方向に回転駆動するように構成されている。
【００４５】
なお、上側第一ロール１５２Ａ、下側第一ロール１５２Ｂ、第三ロール１６０及び第二ロール１７０は、周面に粘着性を有するブチルゴムなどで構成されている。なお、本実施形態では、上側第一ロール１５２Ａの第一粘着力Ａ及び下側第一ロール１５２Ｂの第一粘着力Ｂは貼合粘着力よりも大きく、第三ロール１６０の第三粘着力は上側第一ロール１５２Ａの第一粘着力Ａよりも大きく、第二ロール１７０の第二粘着力は下側第一ロール１５２Ｂの第一粘着力Ｂよりも大きくなるように設定されている。
【００４６】
また、排出部１３０は、画像形成側フィルム５０２（図９（Ａ））が図示していない搬送ロール対に挟まれて搬送される搬送路１３２と、一対の排出ロール１３４とを有している。
【００４７】
（ラミネート装置）
次に、ラミネート装置７０について説明する。
【００４８】
ラミネート装置７０は、基材巻取ロール７２、一対の重合ロール７４、カッター装置７６、ラミネート部８０、一対の排出ロール８４及び画像記録体巻取ロール９０等を有している。
【００４９】
基材巻取ロール７２には、基材の一例としての長尺状の布材６０４（図９（Ｂ）参照）が巻き取られている。
【００５０】
重合ロール７４は、布材６０４と画像形成側フィルム５０２とを重ね合わせて（図９（Ｂ）参照）、ラミネート部８０に送る。
【００５１】
カッター装置７６は、画像形成側フィルム５０２の長さに応じて、布材６０４を切断する。
【００５２】
ラミネート部８０は、一対のラミネートロール８２Ａ及び一対のラミネートロール８２Ｂを有している。そして、重ね合わされた布材６０４と画像形成側フィルム５０２とが、一対のラミネートロール８２Ａ間及び一対のラミネートロール８２Ｂ間に挟まれて通過する際の熱と圧力とによってラミネートされる。
【００５３】
重ね合わされた布材６０４と画像形成側フィルム５０２とが、ラミネート部８０でラミネートされることで、布材６０４に画像が形成された画像記録体６００（図９（Ｂ））となり、排出ロール８４によって排出され、画像記録体巻取ロール９０に巻き取られる（図８参照）。
【００５４】
［作用］
つぎに、本実施形態の作用について説明する。
【００５５】
まず、画像記録体作製装置１０が、フィルム材５００の画像形成側フィルム５０２にトナー画像を形成したのち、画像形成側フィルム５０２と支持側フィルム５０４とを分離し、更に、分離された画像形成側フィルム５０２を布材６０４に重ね合わせてラミネートし、画像記録体６００を作製する工程について説明する。なお、図示していない制御装置が、各部材や装置等を制御している。
【００５６】
図１に示すように、フィルム材巻取ロール３２に巻き取られた長尺状のフィルム材５００（図９（Ａ）も参照）を送出ロール３４によって装置本体２２にフィルム材５００を送り出すと共に、カッター装置３６で装置本体２２に送り出されるフィルム材５００を要求する長さに切断する。装置本体２２は、送り出されたフィルム材５００の画像形成側フィルム５０２（図９（Ａ）参照）に電子写真方式によってトナー画像を形成する。
【００５７】
図２に示すように、分離搬送装置１００では、画像形成装置２０から画像形成側フィルム５０２にトナー画像が形成された（トナー像が定着された）フィルム材５００を巻取ロール１１２に送り、巻取ロール１１２にフィルム材５００を巻き取る。
【００５８】
なお、このとき巻取ロール１１２がフィルム材５００を巻き取る巻取速度は、上流側の画像形成装置２０におけるフィルム材５００の搬送速度（排出速度）と略同じ又は若干遅くなるよう設定されている。
【００５９】
図３に示すように、フィルム材５００の長さ情報などによって、フィルム材５００の先端部が搬送ロール１２２に挟まれた状態で巻取ロール１１２及び搬送ロール１２２の回転を停止する。また、案内材１２４を回転させ、送入経路（図２参照）から送出経路に切り替える。
【００６０】
図４に示すように、巻取ロール１１２及び搬送ロール１２２を図２とは逆方向に回転させ、フィルム材５００を分離部１５０に送り出す。なお、トナー画像が形成された画像形成側フィルム５０２が図における下側になり、支持側フィルム５０４が図における上側になって送り出される。
【００６１】
また、このとき巻取ロール１１２及び搬送ロール１２２でフィルム材５００を分離部１５０に送り出す搬送速度は、前述の巻取ロール１１２にフィルム材５００を巻き取る巻取速度と同じ速度であってもよいし、異なる速度であってもよい（速くてもよいし、遅くてもよい）。つまり、巻取ロール１１２及び搬送ロール１２２でフィルム材５００を分離部１５０に送り出す搬送速度は、後述する分離部１５０における画像形成側フィルム５０２と支持側フィルム５０４とに分離する分離性能に応じて決定すればよい。
【００６２】
なお、本実施形態では、巻取ロール１１２及び搬送ロール１２２でフィルム材５００を分離部１５０に送り出す搬送速度は、巻取ロール１１２にフィルム材５００を巻き取る巻取速度よりも遅い。
【００６３】
分離部１５０を構成する上側第一ロール１５２Ａの周面は、前述したフィルム材５００の支持側フィルム５０４の貼合面５０４Ａの貼合粘着力よりも大きい第一粘着力Ａを有し、下側第一ロール１５２Ｂの周面は貼合粘着力よりも大きい第一粘着力Ｂを有している。よって、支持側フィルム５０４は上側第一ロール１５２Ａに付着し、画像形成側フィルム５０２は下側第一ロール１５２Ｂに付着する。そして、上側第一ロール１５２Ａ及び下側第一ロール１５２Ｂの回転に伴って、画像形成側フィルム５０２と支持側フィルム５０４とが剥がれ分離する。
【００６４】
図４及び図５に示すように、上側第一ロール１５２Ａに付着した支持側フィルム５０４は、上側第一ロール１５２Ａの回転に伴って第三ロール１６０とのニップ部に挿入される。第三ロール１６０の周面は、上側第一ロール１５２Ａに付着した支持側フィルム５０４を上側第一ロール１５２Ａから引き剥がす第三粘着力を有しているので、支持側フィルム５０４は上側第一ロール１５２Ａから剥がれ第三ロール１６０に付着し、巻き取られる。
【００６５】
同様に、下側第一ロール１５２Ｂに付着した画像形成側フィルム５０２は、下側第一ロール１５２Ｂの回転に伴って第二ロール１７０とのニップ部に挿入される。第二ロール１７０の周面は、下側第一ロール１５２Ｂに付着した画像形成側フィルム５０２を下側第一ロール１５２Ｂから引き剥がす第二粘着力を有しているので、画像形成側フィルム５０２は下側第一ロール１５２Ｂから剥がれ第二ロール１７０に付着し、巻き取られる。
【００６６】
なお、第三ロール１６０は付勢手段の一例としての上側ばね１６２によって上側第一ロール１５２Ａに付勢されている。よって、第三ロール１６０に支持側フィルム５０４が巻き取られる巻取量に応じて、第三ロール１６０が上側第一ロール１５２Ａから離間する方向に移動する。よって、巻き取り量が増えるに従って生じる上側第一ロール１５２Ａと第三ロール１６０の回転力の低下が抑制される
【００６７】
同様に、第二ロール１７０は付勢手段の一例としての下側ばね１７２によって下側第一ロール１５２Ｂに付勢されている。よって、第二ロール１７０に画像形成側フィルム５０２が巻き取られる巻取量に応じて、第二ロール１７０が下側第一ロール１５２Ｂから離間する方向に移動する。よって、巻き取り量が増えるに従って生じる下側第一ロール１５２Ｂと第二ロール１７０の回転力の低下が抑制される
【００６８】
ここで、フィルム材５００は、支持側フィルム５０４における貼合面５０４Ａに粘着力を有しており、支持側フィルム５０４から剥がれて分離した画像形成側フィルム５０２は粘着力を有していない。よって、図５に示すように、画像形成側フィルム５０２の先端部は、垂れ下がり、排出部１３０の搬送路１３２に自動的に入る。
【００６９】
そして、図６に示すように、第二ロール１７０及び送出ロール１７４を逆方向に回転させると共に、図示していない搬送ロールによって画像形成側フィルム５０２を搬送路１３２に沿って搬送し、排出ロール１３４によって排出する。
【００７０】
なお、このとき画像形成側フィルム５０２を排出する排出速度は、下流側のラミネート装置７０における画像形成側フィルム５０２の搬送速度と略同じ又は若干速くなるよう設定されている。
【００７１】
図７に示すように、分離搬送装置１００からラミネート装置７０に送られたトナー画像が形成された画像形成側フィルム５０２を、布材６０４に重ね合わせてラミネート部８０に送る。そして、重ね合わされた布材６０４と画像形成側フィルム５０２とが、一対のラミネートロール８２Ａ間及び一対のラミネートロール８２Ｂ間に挟まれて通過する際の熱と圧力とによってラミネートされ、布材６０４に画像形成側フィルム５０２が貼り合わされた画像記録体６００（図９（Ｂ））となる。
【００７２】
なお、カッター装置７６によって、画像形成側フィルム５０２の長さに応じて、布材６０４を切断する。
【００７３】
図８に示すように、排出ロール８４によって排出された画像記録体６００を、画像記録体巻取ロール９０に巻き取る。また、第三ロール１６０に巻き取られた支持側フィルム５０４を除去する。なお、支持側フィルム５０４の除去は、どのような方法であってもよい。例えば、支持側フィルム５０４が巻き取られた第三ロール１６０を作業者が装置から取り外して除去してもよいし、作業者が支持側フィルム５０４を引き出して除去してもよい。
【００７４】
このように、画像記録体作製装置１０は、フィルム材５００の画像形成側フィルム５０２にトナー画像を形成したのち、画像形成側フィルム５０２と支持側フィルム５０４とを自動で分離することができる。また、画像記録体作製装置１０は、分離された画像形成側フィルム５０２を布材６０４に重ね合わせてラミネートし、画像記録体６００を作製することを自動で行うことができる。
【００７５】
また、分離搬送装置１００では、当該装置に送り込まれる際のフィルム材５００の搬送速度と、当該装置から画像形成側フィルム５０２を排出する際の搬送速度と、を変えることができる。よって、本実施形態のように、上流側の画像形成装置２０におけるフィルム材５００の搬送速度と下流側のラミネート装置７０における画像記録体６００の搬送速度との速度差が大きい場合であっても、上流側の画像形成装置２０から送られたフィルム材５００の画像形成側フィルム５０２と支持側フィルム５０４とを分離し、かつ下流側のラミネート装置７０に速度調整して送ることができる。
【００７６】
また、本実施形態では、上流側の画像形成装置２０から送られたフィルム材５００は、一旦、巻取ロール１１２に巻き取ってから、分離部１５０に送って支持側フィルム５０４と画像形成側フィルム５０２とに分離する。よって、フィルム材５００が長尺であっても、分離部１５０の搬送速度を画像形成側フィルム５０２と支持側フィルム５０４とに分離する分離性能に応じて決定することができる。つまり、フィルム材５００が長尺の場合は、上流側の画像形成装置２０の搬送速度に応じて、分離部１５０での搬送速度を決定する必要があるが、一旦、巻取ロール１１２に巻き取ることで、分離部１５０の搬送速度を分離性能に応じて決定することができる。
【００７７】
［その他］
尚、本発明は、上記実施形態に限定されない。
【００７８】
上記実施形態の画像形成装置２０は一例であって、上記実施形態の構成に限られず種々の構成とすることが可能である。また、電子写真方式以外の画像形成方式、例えばインクジェット方式でフィルム材に画像を形成してもよい。
【００７９】
また、上記実施形態のラミネート装置７０は一例であって、上記実施形態の構成に限られず種々の構成とすることが可能である。
【００８０】
また、布材６０４以外の基材に画像形成側フィルム５０２をラミネートしてもよい。また、フィルム材５００及び基材（上記実施形態では布材６０４）は、連帳タイプのものに限らず、枚葉タイプのものであってもよい。
【００８１】
また、例えば、上記実施形態の装置は、画像形成装置２０、分離搬送装置１００及びラミネート装置７０が連結された画像記録体作製装置１０であったが、これに限定されない。
【００８２】
例えば、画像形成装置２０と分離搬送装置１００とを備える装置であってもよい。この場合、分離搬送装置１００から排出された画像形成側フィルム５０２を、例えば、作業者がラミネート装置７０に挿入すればよい。
【００８３】
或いは、分離搬送装置１００とラミネート装置７０とを備える装置であってもよい。この場合、画像形成装置２０から排出されたトナー像が形成されたフィルム材５００を、例えば作業者が分離搬送装置１００に挿入すればよい。
【００８４】
また、画像形成装置２０と分離搬送装置１００とラミネート装置７０とがそれぞれ連結されておらず個別に配置されていてもよい。この場合、画像形成装置２０から排出されたトナー像が形成されたフィルム材５００を、例えば作業者が分離搬送装置１００に挿入し、分離搬送装置１００から排出された画像形成側フィルム５０２を作業者がラミネート装置７０に挿入すればよい。
【００８５】
また、分離搬送装置１００の分離部１５０を備える装置であってもよい。この場合、例えば、作業者がフィルム材５００を分離部１５０に挿入し、分離されたフィルム材５００を作業者が取り出せばよい。
【００８６】
また、分離搬送装置１００及び上述の分離部１５０を備える装置は、トナー画像が形成されたフィルム材５００以外の貼合材を分離してもよい。この場合、貼合粘着力は、貼合材を構成する一方の媒体の貼合面と他方の媒体の貼合面との少なくとも一方に有していればよい。
【００８７】
ここで、上記実施形態では、第三ロール１６０の第三粘着力は上側第一ロール１５２Ａの第一粘着力Ａよりも大きくなるように設定されていた。上記実施形態では、フィルム材５００の支持側フィルム５０４における貼合面５０４Ａに貼合粘着力を有している。そして、上側第一ロール１５２Ａに付着した支持側フィルム５０４は、貼合粘着力を有する貼合面５０４Ａが第三ロール１６０に接触する。よって、この貼合粘着と第三粘着力との合計の粘着力が上側第一ロール１５２Ａの第一粘着力Ａよりも大きくなれば、支持側フィルム５０４は上側第一ロール１５２Ａから剥がれて第三ロール１６０に付着する。よって、第三ロール１６０の第三粘着力は上側第一ロール１５２Ａの第一粘着力Ａよりも大きくなくてもよい（両者は同じか或いは小さくてもよい）。
【００８８】
また、上記実施形態では、上側第一ロール１５２Ａ、下側第一ロール１５２Ｂ、第二ロール１７０及び第三ロール１６０は、ロール状の回転体であったが、これに限定されることはなく、例えば、ベルト等の回転体であってもよい。
【００８９】
更に、本発明の要旨を逸脱しない範囲において、種々なる態様で実施し得ることは言うまでもない。
【符号の説明】
【００９０】
１０      画像記録体作製装置
２０      画像形成装置（上流側装置の一例）
７０      ラミネート装置
１００      分離搬送装置。
１１２      巻取ロール
１１０      搬送部（搬送手段の一例）
１３０      排出部（排出手段の一例）
１５０      分離部（分離装置の一例）
１５２Ａ    上側第一ロール（第一回転体の一例）
１５２Ｂ    下側第一ロール（第一回転体の一例）
１６０      第三ロール（第三回転体の一例）
１７０      第二ロール（第二回転体の一例）
１７２      下側ばね（付勢手段の一例）
５００      フィルム材（貼合材の一例）
５０２      画像形成側フィルム（他方の媒体の一例）
５０４      支持側フィルム（一方の媒体の一例）
【図１】
2016160035.tif 000003
【図２】
2016160035.tif 000004
【図３】
2016160035.tif 000005
【図４】
2016160035.tif 000006
【図５】
2016160035.tif 000007
【図６】
2016160035.tif 000008
【図７】
2016160035.tif 000009
【図８】
2016160035.tif 000010
【図９】
2016160035.tif 000011